(57)【特許請求の範囲】
【請求項１】
毛細管現象を利用して血液を吸い上げる筒状本体を有したキャピラリー採血具において、
前記筒状本体の吸い上げ側先端部に透明または半透明のプラスチック樹脂製の毛細管吸引筒部を形成し、前記毛細管吸引筒部の中心部に吸引採血保持孔を形成し、前記吸引採血保持孔は、反吸い上げ側に向かって徐々に内径を小さくした逆テーパー面を有して形成すると共に、前記吸引採血保持孔は、吸い上げ側の内径をＡ、反吸い上げ側の内径をＢ、軸長をＣとしたとき、０．５≦Ａ≦１．５［ｍｍ］、０．４≦Ｂ≦１．４［ｍｍ］、２．０≦Ｃ≦６．０［ｍｍ］として形成し、前記毛細管吸引筒部の前記吸引採血保持孔先端部における吸い上げ側の内径部に、０．１５〜０．３０［ｍｍ］のＲ面取り加工を施し、更に、前記筒状本体には、前記毛細管吸引筒部の前記反吸い上げ側に位置する部分に中間筒部を形成し、前記中間筒部には、前記吸引採血保持孔の前記反吸い上げ側と連通し前記内径Ｂよりも径を増大した中間室を形成したことを特徴としたキャピラリー採血具。
【発明の詳細な説明】
【技術分野】
【０００１】
本発明は、糖尿病患者などの採血に使用するキャピラリー採血具に関する。
【背景技術】
【０００２】
従来のキャピラリー採血具として、軸方向にストレートな筒状本体の先端部から毛細管現象を利用して血液を吸収するものが知られている（例えば、特許文献１，２参照）。また、毛細管現象を利用して血液を吸収する筒状本体を高分子材料から製作し、かつ、筒状本体の内面を親水性に処理し、また筒状本体内の所定の位置には吸引した血液量を所定の位置で止めるために液状封止用樹脂を配置し、この液状封止用樹脂の挿入を容易にするために筒状本体の吸引側先端部には外側に向かうに従って広がるテーパー面状の端部加工を施したものが知られている（例えば、特許文献３参照）。
【先行技術文献】
【特許文献】
【０００３】
【特許文献１】特開平９−４３１５４号公報
【特許文献２】特開２００２−３５０４３２号公報
【特許文献３】特開２００５−３４２１９８号公報
【発明の概要】
【発明が解決しようとする課題】
【０００４】
しかしながら、従来のキャピラリー採血具は、基本的にはいずれも軸方向にストレートな筒状本体の端部から血液を吸い上げる構成であり、また特許文献３では、液状封止用樹脂の挿入を容易にするために筒状本体の吸引側先端部に外側に向かうに従って広がるテーパー面状の端部加工を施しているが、端部以外の内面が基本的には軸方向にほぼストレートな孔となっているため、毛細管現象による吸い上げが必ずしも効果的ではなかった。しかも、ほぼ一定の血液量を吸い上げて採血を効果的に行うためには、液状封止用樹脂を内部に挿入配置する必要があり、構造が複雑なものとなっていた。
【０００５】
本発明の目的は、毛細管現象による吸い上げを一層効果的に行うことができるようにしたキャピラリー採血具を提供するにある。
【課題を解決するための手段】
【０００６】
本発明は上記目的を達成するために、毛細管現象を利用して血液を吸い上げる筒状本体を有したキャピラリー採血具において、前記筒状本体の吸い上げ側先端部に透明または半透明のプラスチック樹脂製の毛細管吸引筒部を形成し、前記毛細管吸引筒部の中心部に吸引採血保持孔を形成し、前記吸引採血保持孔は、反吸い上げ側に向かって徐々に内径を小さくした逆テーパー面を有して形成すると共に、前記吸引採血保持孔は、吸い上げ側の内径をＡ、反吸い上げ側の内径をＢ、軸長をＣとしたとき、０．５≦Ａ≦１．５［ｍｍ］、０．４≦Ｂ≦１．４［ｍｍ］、２．０≦Ｃ≦６．０［ｍｍ］として形成し、前記毛細管吸引筒部の前記吸引採血保持孔先端部における吸い上げ側の内径部に、０．１５〜０．３０［ｍｍ］のＲ面取り加工を施し、更に、前記筒状本体には、前記毛細管吸引筒部の前記反吸い上げ側に位置する部分に中間筒部を形成し、前記中間筒部には、前記吸引採血保持孔の前記反吸い上げ側と連通し前記内径Ｂよりも径を増大した中間室を形成したことを特徴とする。
【０００７】
このような構成によれば、毛細管吸引筒部の中心部に逆テーパー面を形成しているため、その吸い上げ側先端部を血液に接触すると、毛細管現象によって血液を効果的に吸い上げることができる。このとき、毛細管吸引筒部における吸引採血保持孔は、全体が逆テーパー面を利用した簡単な構成で所定の採血量を一層効果的に、かつ容易に得ることができる。また、毛細管吸引筒部の中心部に逆テーパー面を形成するに際して、内径Ａ、内径Ｂ、軸長Ｃを上述のように最適な寸法に設定しているため、その吸い上げ側先端部を血液に接触すると、毛細管現象によって血液を効果的に吸い上げることができる。このとき、毛細管吸引筒部における吸引採血保持孔の容積は、内径Ａ、内径Ｂ、軸長Ｃによってほぼ決定することができるので、逆テーパー面を利用した簡単な構成で所定の採血量を一層効果的に、かつ容易に得ることができる。更に、Ｒ面取り加工により、前記毛細管吸引筒部への採血がスムーズかつ、確実に行われる。更に又、毛細管吸引筒部の吸い上げ側先端部を血液に接触すると、吸引採血保持孔に形成した逆テーパー面による毛細管現象によって吸引採血保持部へと効果的に吸い上げることができ、しかも、毛細管吸引筒部の毛細管現象によって吸い上げられる血液は吸引採血保持孔を満たすが、中間室側への毛細管現象による吸い上げは殆ど生じることがないので、所定の採血量を簡単な構成で容易に得ることができる。
【発明の効果】
【００１４】
本発明によるキャピラリー採血具によれば、毛細管吸引筒部の中心部に逆テーパー面を形成するため、その吸い上げ側先端部を血液に接触すると、毛細管現象によって血液を効果的に吸い上げることができる。このとき、毛細管吸引筒部における吸引採血保持孔は、全体が逆テーパー面を利用した簡単な構成で所定の採血量を一層効果的に、かつ容易に得ることができる。
【図面の簡単な説明】
【００１５】
【図１】本発明の一実施の形態によるキャピラリー採血具の側面図である。
【図２】図１に示したキャピラリー採血具の要部を拡大した断面図である。
【発明を実施するための形態】
【００１６】
以下、本発明の実施の形態を図面に基づいて説明する。
【００１７】
図１は、キャピラリー採血具を示しており、全体はポリプロピレンなどのプラスチック樹脂製で透明もしくは半透明の筒状本体として構成され、患者の血液に接触させて毛細管現象を利用して吸い上げる毛細管吸引筒部１と、その後方に設けた中間筒部２と、図示しない分析装置側と接続する接続筒部３とを有し、各部１〜３は詳細を後述する中心部の空部で連通している。
【００１８】
毛細管吸引筒部１は、全体的な外観は先細形状であるが、軸方向の中心部には中間筒部２側に向かって徐々に径を縮小した逆テーパー面４を有し、かつ、ほぼ所定の採血量となる容積とした吸引採血保持孔５を形成している。
【００１９】
中間筒部２も全体として円筒状であり、毛細管吸引筒部１側の端部は吸引採血保持孔５の逆テーパー面４の延長ではなく、吸引採血保持孔５に比べて開口面積を急激に大きくしている。また、この開口面積を急激に大きくした部分を起点として、接続筒部３側に向かって徐々に径を大きくしたテーパー面６を有し、かつ比較的に大きな容積を持つようにした中間室７を形成している。また中間筒部２の軸方向長は、毛細管吸引筒部１の軸方向長に比べて大きくしており、キャピラリー採血具単位としての取り扱いを容易にしている。
【００２０】
接続筒部３は図示しない分析装置側の接続部に対応して接続可能な外観構造と、吸引採血保持孔５および中間室７に連通し分析装置へと導く開口８とを有している。
【００２１】
さらに、毛細管吸引筒部１および中間筒部２の詳細について図２を用いて説明する。毛細管吸引筒部１に形成した逆テーパー面４の中心軸に対する傾きは４．３度程度に選定しており、吸引採血保持孔５における左方の吸い上げ側の内径をＡとし、一方、吸引採血保持孔５における右方の反吸い上げ側端の内径をＢとし、また吸引採血保持孔５の軸長をＣとして示している。ここで内径Ａ＝０．９０［ｍｍ］であるが、望ましくは０．５≦Ａ≦１．５［ｍｍ］であり、内径Ｂ＝０．６０［ｍｍ］であるが、望ましくは０．４≦Ｂ≦１．４［ｍｍ］であり、軸長Ｃ＝４．０［ｍｍ］であるが、望ましくは２．０≦Ｃ≦６．０［ｍｍ］である。吸引採血保持孔５における左方の吸い上げ側の内径部には、０．１５［ｍｍ］のＲ面取り加工を施したが、望ましくは０．１５〜０．３０［ｍｍ］である。
【００２２】
このように筒状本体の吸い上げ側に設けた毛細管吸引筒部１は、その中心部に逆テーパー面４を形成するに際して、内径Ａ、内径Ｂ、軸長Ｃを上述のように設定したため、その吸い上げ先端部を血液に接触すると、毛細管現象によって血液を吸い上げることができる。単に、筒状本体にストレートな孔を形成した場合に比べて、効果的な毛細管現象によって素早く吸い上げることができる。このとき、毛細管吸引筒部１における吸引採血保持孔５の容積は、内径Ａ、内径Ｂ、軸長Ｃによってほぼ決定することができるので、簡単な構成で採血量が不安定になることなく所定の採血量を容易に吸い上げることができる。また、毛細管吸引筒部１を透明または半透明のポリプロピレンなどのプラスチック樹脂製とすると、採血状況を容易に確認することができる。
【００２３】
また毛細管吸引筒部１の後方に形成した中間筒部２には、毛細管吸引筒部１の逆テーパー面４における右端の反吸い上げ側の内径Ｂに対して、内径を急激に増大した中間室７を形成しているため、毛細管吸引筒部１の吸い上げ側先端部を血液に接触すると、吸引採血保持孔５に形成した逆テーパー面４による毛細管現象によって吸引採血保持孔５へと効果的に吸い上げることができると同時に、毛細管吸引筒部１の毛細管現象によって吸い上げられる血液で吸引採血保持孔５を満たすが、中間筒部２側への毛細管現象による吸い上げは殆ど生じない。
【００２４】
ここで、内径Ｂに対して内径を急激に増大した中間室７とは、吸引採血保持孔５だけでなく中間室７内まで積極的に毛細管現象によって血液を吸い込むのを中止するものであり、内径の増大の程度は適宜設定することができる。こうして吸い上げられる血液は、ほぼ吸引採血保持孔５だけを満たす所定容積の採血量となる。仮に、少量が吸引採血保持孔５から中間室７内に入り込んだとしても、特に問題とはならない。従って、中間筒部２は、採血量に応じて容積を決定するのではなく、主に取り扱いの面からその長さおよび大きさを決定することができる。
【００２５】
また、筒状本体は、透明または半透明のポリプロピレンなどのプラスチック樹脂製としているため、逆テーパー面４を有する吸引採血保持孔５や中間室７を一体的に簡単に構成することができ、従来のように採血量を決めるために別部材の液状封止用樹脂を配置する必要はなく、その挿入のための加工も不要となり、構成を簡略化することができる。
【符号の説明】
【００２６】
１    毛細管吸引筒部
２    中間筒部
３    接続部
４    逆テーパー面
５    吸引採血保持孔
６    テーパー面
７    中間室
８    開口
【図１】
0006012198.tif 000002
【図２】
0006012198.tif 000003